Podtech/llm-jp-corpus-v4-ja_patent huggingface dataset:
【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
排熱通路囲い込みシステムであって、
第１の列とこの第１の列に対向して中間に排熱通路を画成する第２の列とに配置される複数の小部屋と、
小部屋の頂部に固定される複数の垂直パネルであって、固定下側パネルと伸縮式上側パネルとを含む前記垂直パネルと、
前記小部屋の一端に固定され、排熱通路を横断して延在するドア組立体とを備え、
前記下側パネルは、前記上側パネルを受け止めるキャビティを形成するフランジを有する側面を含み、
前記上側パネルは、ガスケット付き側面を含み、
前記上側パネルの側面上のガスケットは、前記下側パネルのキャビティ内で圧縮される、排熱通路囲い込みシステム。
【請求項２】
前記上側パネルは、排熱通路囲い込みシステムを封止する頂部ガスケットを部屋天井に含む、請求項１に記載の排熱通路囲い込みシステム。
【請求項３】
前記下側パネルは、隣接する下側パネルを互いに接合する少なくとも１つの装着タブを含む、請求項１に記載の排熱通路囲い込みシステム。
【請求項４】
前記上側パネルは、隣接する上側パネルを互いに接合する編成ブラケットを含む、請求項１に記載の排熱通路囲い込みシステム。
【請求項５】
前記下側パネルの側面はガスケットを含む、請求項１に記載の排熱通路囲い込みシステム。
【請求項６】
前記下側パネルのフランジは、上側パネルをキャビティ内に誘導する襞付きエッジを含む、請求項１に記載の排熱通路囲い込みシステム。
【請求項７】
前記下側パネルは、上側パネルを延出位置に固定するロック組立体を含む、請求項１に記載の排熱通路囲い込みシステム。
【請求項８】
前記ロック組立体は、チャネルと、歯と封鎖レバーとを有する爪レバーとを含む、請求項７に記載の排熱通路囲い込みシステム。
【請求項９】
前記上側パネルは前記チャネル内に摺動可能に受容される偏平バーをさらに備え、かくして前記爪レバー上の歯が偏平バーに係合して該偏平バーを前記チャネル内に固定するとともに前記上側パネルを延出位置に固定する、請求項８に記載の排熱通路囲い込みシステム。
【請求項１０】
前記下側パネルは、スロット付きのフランジを有する側面を含んでおり、前記上側パネルはスロット付きのフランジを有する側面を含んでおり、前記下側パネルの側面が前記上側パネルの側面を受け止め、
前記ロック組立体は、前記下側パネルのフランジ内のスロットを挿通するボルトと、前記上側パネルのフランジ内にあって前記上側パネルを延出位置に固定するスロットとを含む、請求項７に記載の排熱通路囲い込みシステム。
【請求項１１】
前記垂直パネルはドア組立体の上方に装着される、請求項１に記載の排熱通路囲い込みシステム。
【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
前壁および後壁を含むパウチと、
ストーマからの排出物が前記パウチに入るための前記後壁の排泄物入口開口部と、
ガスが前記パウチから出るための少なくとも１つの通気開口部と、
封入体を画定する第１および第２フォイル層を含むフィルタ構成物であって、
前記フォイル層の各々が前記パウチの前記前壁および後壁と実質的に平行であるように前記フィルタ構成物が前記パウチの内側に装着され、前記第１フォイル層が前記後壁に面し、前記第２フォイル層が前記パウチの前記前壁に面し、
前記フィルタ構成物は少なくとも前記第２フォイル層にガス入口が設けられ、前記第２フォイルのガス出口が前記通気開口部と整列して配置される
フィルタ構成物と、
プレフィルタ要素を含む前記封入体と、
を含むストーマ装具。
【請求項２】
前記フィルタ構成物が前記封入体の中に脱臭フィルタを含む、請求項１に記載のストーマ装具。
【請求項３】
ガス入口として機能する前記穴が、前記第１フォイル層および前記第２フォイル層の両方に設けられる、請求項１又は２に記載のストーマ装具。
【請求項４】
ガス入口の数が、７５個超など、１００個超など、１５０個超など、５０個超である、請求項１〜３のいずれか一項に記載のストーマ装具。
【請求項５】
前記ガス入口の数が５０個超であり、前記第１および第２フォイルの両方に設けられ、
前記ガス入口が、約０．５ｍｍなど１ｍｍ未満の直径を有する穴、ならびに約２ｍｍなど約１ｍｍ以上の直径を有する穴を含む
請求項１に記載のストーマ装具。
【請求項６】
ガス入口の数が２個である、請求項１〜３のいずれか一項に記載のストーマ装具。
【請求項７】
前記ガス入口が、約２ｍｍなど少なくとも１ｍｍの直径を有し、
前記プレフィルタ要素の面積が前記後壁の面積の４０％より大きい
請求項１に記載のストーマ装具。
【請求項８】
前記プレフィルタの面積が、前記パウチの平面に取り込んだ場合、前記パウチの面積の少なくとも２０％である、請求項１〜７のいずれか一項に記載のストーマ装具。
【請求項９】
前記パウチが満たされた時、前記フィルタ構成物の幅と前記ストーマ装具の幅との間の横方向における関係の結果として、前記フィルタ構成物が潰れる、請求項３に記載のストーマ装具。
【請求項１０】
前記フィルタ構成物の横方向の幅は、前記パウチの横方向の幅の少なくとも１００％または少なくとも８０％または少なくとも６０％である、請求項４に記載のストーマ装具。
【請求項１１】
前記ガス入口が、少なくとも１ｍｍの直径を有し、
前記プレフィルタ要素の面積が前記後壁の面積の４０％より大きい
請求項１に記載のストーマ装具。
【請求項１２】
２個の隣接する穴の間の第１の距離は、液体が１つの穴から隣の穴まで、標準的な使用時間内に移動できないような距離であり、前記第１の距離が１０ｍｍ超である、請求項１〜１１のいずれか一項に記載のストーマ装具。
【請求項１３】
前記脱臭要素から最も近いガス入口までの第２の距離は、液体が前記最も近いガス入口から前記脱臭要素まで、標準的な使用時間内に移動できないような距離であり、前記第２の距離が１５ｍｍ超である、請求項１〜１２のいずれか一項に記載のストーマ装具。
【請求項１４】
ガス入口と前記フィルタ構成物の縁部との間の第３の距離が５ｍｍ超であり得る、請求項１〜１３のいずれか一項に記載のストーマ装具。
【請求項１５】
前記フィルタ構成物の前記封入体が、前記ストーマ装具内で下方を向く排出開口部を含む、請求項１〜１４のいずれか一項に記載のストーマ装具。
【請求項１６】
前記プレフィルタが前記脱臭フィルタ用の打抜きを含む、請求項１〜１５のいずれか一項に記載のストーマ装具。
【請求項１７】
前記フィルタ構成物が、使用者が前記ストーマおよびストーマ周辺領域を見ることができる点検窓を組み込む、請求項１〜１６のいずれか一項に記載のストーマ装具。
【請求項１８】
前記フィルタ構成物が、輪郭溶着プロセス工程時に前記前壁および／または後壁に装着された１つ以上の保持手段を含む、請求項１〜１７のいずれか一項に記載のストーマ装具。
【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
連続した両極性パルス刺激を生体の一部位に、前記部位に付けられた1つまたは複数の電極リードを介して与える電気刺激装置であって、
前記1つまたは複数の電極リードと動作可能に結合する出力ノードを含む、かつ実質的定電圧源と動作可能に結合するように構成される、電流パルス発生回路を備え、
前記電流パルス発生回路が、前記部位を通る正負の電流を前記1つまたは複数の電極リードを介してそれぞれ印加するための、前記実質的定電圧源から引き出す正負の刺激経路を備え、
前記刺激経路がそれぞれの容量性素子を備え、
前記刺激経路の周期的な交互作動により前記連続した両極性パルス刺激が得られ、
前記刺激経路が正刺激ループおよび負刺激ループを備え、
これら刺激ループのそれぞれは、前記出力ノードを直列に包含し、前記実質的定電圧源から引き出し、それぞれのループ作動スイッチおよび前記それぞれの容量性素子を含み、
前記容量性素子の静電容量比が前記正負の電流の振幅比の少なくとも一部を決定し、
さらに、前記ループ作動スイッチを交互に作動して前記正負の電流パルスが得られるように構成され、前記正負の電流パルスの持続時間比が前記静電容量比と反比例するように構成されたコントローラを備える、
電気刺激装置。
【請求項２】
前記それぞれの容量性素子のうちの少なくとも1つが、2つ以上の直列接続された容量性素子を含み、
これら直列接続された容量性素子のうちの少なくとも1つが、これらの合成容量を修正するために動作時に選択的に作動され、それによって前記静電容量比が調整され、
前記静電容量比を調整することにより対称パルス刺激と非対称パルス刺激の選択を行う、請求項1に記載の電気刺激装置。
【請求項３】
両極性刺激により前記部位に印加される電荷が、前記正負の電流のそれぞれ連続した対によってほぼ平衡が取られる、請求項1または2に記載の電気刺激装置。
【請求項４】
パルス刺激のパルス立上がり時間が、主として前記それぞれのループ作動スイッチのスイッチング速度によって決定される、請求項1から3のいずれか一項に記載の電気刺激装置。
【請求項５】
二段スイッチモード電源(SMPS)を含み、
前記二段SMPSが、電源に動作可能に結合されるフライバックコンバータと、前記電流パルス発生回路を通して入手可能なパルス電流の振幅を調整する際に前記実質的定電圧源を調整するための、フライバックコンバータに動作可能に結合されるバックコンバータとを含む、請求項1から4のいずれか一項に記載の電気刺激装置。
【請求項６】
電流パルス刺激を生体の一部位に、前記部位に付けられた1つまたは複数の電極を介して与える機能的電気刺激(FES)システムであって、
前記部位に適用されるべき選択された電流パルス特性を表すFESパラメータを受け取る1つまたは複数の入力部がある制御プラットフォームと、
前記電流パルス特性に応じて電流パルスを発生する前記制御プラットフォームに前記1つまたは複数の電極を介して動作可能に結合された出力段とを備え、
前記出力段が、
電源と、
前記電源に動作可能に結合されてこの電源から電流を引き出すパルス発生回路と、
前記電源およびパルス発生回路に動作可能に結合された1つまたは複数のコントローラとを備え、
前記1つまたは複数のコントローラが、前記電流パルス特性に応じて前記電流パルスを生成するために前記パルス発生回路の動作を制御するように構成され、
前記電流パルスの立上がり時間は前記発生される電流パルスによって誘発される痛みの知覚または身体的不快感を減少または最小限にするに十分に速く、及び／又は、その部位における組織膜の調節を減少又は最小化し、それによってその部位における組織の反応の潜在的な誘出を増加させる、
機能的電気刺激(FES)システム。
【請求項７】
前記パルス発生回路が、前記電流パルスを発生する際に前記コントローラによって作動される1つまたは複数のスイッチを備え、前記発生される電流パルスの立上がり時間が、主として前記1つまたは複数のスイッチのスイッチング速度で決まる、請求項6に記載のFESシステム。
【請求項８】
前記パルス発生回路が、前記部位を通る正負の電流を前記1つまたは複数の電極を介してそれぞれ印加するための、前記電源から引き出す正負の刺激経路を備え、前記刺激経路がそれぞれの容量性素子を備え、前記コントローラによる前記刺激経路の周期的な交互作動により連続した両極性パルス刺激が得られる、請求項6または7に記載のFESシステム。
【請求項９】
前記刺激経路が正刺激ループおよび負刺激ループを備え、これら刺激ループのそれぞれは、前記1つまたは複数の電極を直列に包含し、前記電源から引き出し、前記それぞれの容量性素子と、前記1つまたは複数のコントローラによって選択的に動作するそれぞれのループ作動スイッチとを含み、
前記容量性素子の静電容量比が前記正負の電流の振幅比の少なくとも一部を決定し、
前記1つまたは複数のコントローラがさらに、前記ループ作動スイッチを選択的に交互に作動して前記正負の電流パルスが得られるように構成され、前記正負の電流パルスの持続時間比が前記静電容量比と反比例するように構成されたコントローラを備える、
請求項8に記載のFESシステム。
【請求項１０】
電流パルス刺激を生体の一部位に、前記部位に付けられた1つまたは複数の電極リードを介して与える電気刺激装置であって、
前記1つまたは複数の電極リードと動作可能に結合する出力ノードを含む、かつ電圧源と動作可能に結合するように構成される、電流パルス発生回路を備え、
前記電流パルス発生回路が正負の刺激経路を含み、
前記各経路がそれぞれの充電要素およびそれぞれの作動スイッチを含み、
前記それぞれの充電要素が前記電圧源によって充電され、
前記それぞれの作動スイッチが作動すると放電されてそれぞれ正負の電流パルスが生成され、その結果、前記正負の電流パルスのパルス立上がり時間が主として前記それぞれのスイッチのスイッチング速度によって決まることになる、電気刺激装置。
【請求項１１】
前記それぞれの充電要素が1つまたは複数のキャパシタを含む、請求項10に記載の電気刺激装置。
【請求項１２】
前記1つまたは複数のそれぞれのキャパシタの静電容量比により前記正負の電流の振幅比が少なくとも一部は決まり、
前記電気刺激装置がさらに、前記それぞれのスイッチを交互に作動して正負の電流パルスが得られるように構成され、
この正負の電流パルスの持続時間比が前記静電容量比と反比例し、前記部位に印加される電荷が、前記正負の電流パルスのそれぞれ連続した対によってほぼ平衡が取られる、
請求項11に記載の電気刺激装置。
【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
呼吸抑制のモニタリングおよび治療のために構築されたシステムであって、
少なくとも一つの患者の状態をモニタし、信号を出力するよう構築された患者モニタリングユニットと；
マイクロプロセッサを含み、少なくとも一のユーザーとのインターフェースを提供するよう構築されたユーザーインタフェースを含むインターフェースユニットであって、患者モニタリングユニットと通信可能であるインターフェースユニットと；
少なくとも前記患者モニタリングユニットからの、少なくとも一つの患者の状態が事前に設定された状態値の範囲を外れていることを示す信号に応答して、麻薬拮抗剤の少なくとも一の用量の自動投与を行うよう構築された装置と、
少なくとも麻薬を投与するための第２装置とを備え、
前記インターフェイスユニットは、前記装置が麻薬拮抗剤の少なくとも一の用量の自動投与を行うと、患者モニタリングユニットからの情報を受信し、
前記インターフェイスユニットは、同時に、前記少なくとも麻薬投与のための第２装置に、停止のための信号を送信することを特徴とするシステム。
【請求項２】
請求項１のシステムにおいて、前記少なくとも一つの患者の状態は、呼吸数、二酸化炭素含有量、酸素およびｐＨ値、血圧、呼吸音、心拍数、生理反応、可聴信号に対する反応から選択されたものであることを特徴とするシステム。
【請求項３】
請求項１のシステムにおいて、前記インターフェイスユニットは、ラップトップコンピュータ、デスクトップコンピュータ、タブレット、モバイル装置、携帯電話、ページャー、可搬性ディスクトップアクセサリーから選択されたものであることを特徴とするシステム。
【請求項４】
請求項１のシステムにおいて、前記麻薬拮抗剤は、ナロキソンを含み、静脈内投与によって患者に提供されることを特徴とするシステム。
【請求項５】
請求項１のシステムにおいて、前記麻薬拮抗剤を自動投与するよう構築された装置は、ポンプおよび鼻カニューラを備え、前記麻薬拮抗剤は、酸素気流中に分散された霧状のナロキソンを備え、患者の鼻腔内に与えられることを特徴とするシステム。
【請求項６】
請求項１のシステムにおいて、前記麻薬拮抗剤を自動投与するよう構築された装置は、
前記麻薬拮抗剤は、酸素気流中に分散された霧状のナロキソンを備え、患者の鼻腔内に与えられるものであって、第１のポンプおよび鼻カニューラと、
前記麻薬拮抗剤は、液状のナロキソンを備え、静脈ラインから患者に与えられるものであって、第２のポンプと、
を備えることを特徴とするシステム。
【請求項７】
請求項６のシステムにおいて、
前記第１のポンプは、前記麻薬拮抗剤を供給するためのものであり、患者モニタリングユニットからの信号を受信して、少なくとも１の用量の麻薬拮抗剤を放出するものであり、用量制御は少なくとも前記信号に基づくものであることを特徴とするシステム。
【請求項８】
請求項１のシステムにおいて、
前記装置は、患者モニタリングユニットからの信号およびインターフェイスユニットからの信号を受信して、前記麻薬拮抗剤を放出することを特徴とするシステム。
【請求項９】
請求項６のシステムにおいて、
前記第１のポンプは、少なくとも麻薬を患者に投与する第２装置から独立していることを特徴とするシステム。
【請求項１０】
請求項１のシステムにおいて、
前記少なくとも麻薬を投与する第２装置は、静脈ラインを介して少なくとも麻薬を供給するポンプを備えていることを特徴とするシステム。
【請求項１１】
請求項１のシステムにおいて、
皮膚に対する低電圧電気刺激、可聴アラーム、気付け薬の供給手段、横隔神経の経皮刺激手段、またはこれらの組合せの少なくとも一つを備えた、少なくとも１の刺激を患者に与えるための刺激装置を備えることを特徴とするシステム。
【請求項１２】
請求項１のシステムにおいて、
患者モニタリングユニットは、少なくとも一つの患者の状態が設定された条件から外れるとアラームを起動するものであり、前記設定された条件は、約６０秒以上の呼吸数が４未満、呼吸終期ＣＯ2絶対レベルが１０未満で３０秒を超えて無呼吸、パルス酸素濃度８５パーセント未満が１５秒を超える、またはこれらの組合せの少なくとも一つであることを特徴とするシステム。
【請求項１３】
請求項１のシステムにおいて、
インターフェイスユニットは、少なくとも一つの患者の状態が設定された条件から外れるとアラームを起動するものであり、当該アラームは、ページングシステムを介して、介護者に対して伝えられることを特徴とするシステム。
【請求項１４】
請求項１のシステムにおいて、
インターフェイスユニットは、患者の状態、麻薬拮抗剤の投与レート、アラーム状態、またはこれらの組合せの少なくとも一つを備える情報を、医療記録装置、ナースステーションまたはこれらの組合せの少なくとも一つに伝えることを特徴とするシステム。
【請求項１５】
請求項１４のシステムにおいて、
伝えられた情報は、電気医療記録器、またはナースステーション、またはその双方において、記録され、または表示され、またはその双方がなされることを特徴とするシステム。
【請求項１６】
請求項１４のシステムにおいて、
伝えられた情報は、無線にて伝送されることを特徴とするシステム。
【手続補正書】
【提出日】平成26年5月27日(2014.5.27)
【手続補正１】
【補正対象書類名】特許請求の範囲
【補正対象項目名】全文
【補正方法】変更
【補正の内容】
【特許請求の範囲】
【請求項１】
組織部位に注入するための装置であって、
ａ）  組織を過度に損傷することなく、組織部位内の所望の位置に配置されて保持され且つ使用後には前記組織から取り外されるようになっている１つ以上の中空ファイバ・カテーテルと、
ｂ）  前記組織部位に送達されるように生体活性剤を源から前記カテーテルへ送達するようになっている生体活性剤回路と、
ｃ）  予め定められた態様において、前記カテーテルへの生体活性剤の制御された送達を前記組織部位まで行うことを可能にするようになっている制御機構と
を含む、装置。
【手続補正書】
【提出日】平成25年11月15日(2013.11.15)
【手続補正１】
【補正対象書類名】特許請求の範囲
【補正対象項目名】全文
【補正方法】変更
【補正の内容】
【特許請求の範囲】
【請求項１】
中圧または高圧のもとに置かれた密閉高圧筐体（２）内に配置された少なくとも１つの液体出口（２６）を有する可撓バッグ（６、３６）に収容された少なくとも１つの医療用液体（７、３５）の高圧液体パルスを生成するように設計された中高圧パルス状ジェットの発生装置（１）であって、該発生装置が、
・密閉高圧筐体（２）と、
・高圧筐体（２）へと進入して内圧を高める加圧された気体を供給する加圧気体の供給源（４）、および
高圧筐体（２）の内部の圧力を調節する圧力調節装置（５）を備える、高圧筐体（２）のための加圧装置と、
・高圧筐体（２）内に配置され、可撓バッグを高圧筐体（２）内に配置された接続導管（１８）へと接続する少なくとも１つのコネクタ（２４）と、
を備えており、
前記発生装置が、
・少なくとも１つの接続導管が少なくとも１つの可撓バッグとともに到着する少なくとも１つの入り口および当該発生装置の外部に流体的に連通する出口、
間に可撓かつ変形可能な嚢（２９）の形態である液体の一時的な１回分のバッファ貯留部が位置する上流管（１９）および下流間（２０）によって形成され、全体が高圧筐体（２）内の高圧に曝される、可撓な流体接続路、
可撓な流体接続路に位置する少なくとも１つの流体阻止バルブ（３０、３２、３４）、および
少なくとも１つの流体阻止バルブ（３０、３１、３２、３４）の制御手段（３３）、を備える流体シーケンサ（２８）と、
・流体シーケンサ（２８）の出口と手持ち器具またはカテーテルあるいは使用のための器具（４０）を備える接続導管（２２）との間の流体を漏らさない接続の手段と、
を備えることを特徴とする、パルス状ジェットの発生装置。
【請求項２】
可撓かつ変形可能な嚢（２９）が、流体接続路の突出変形部であることを特徴とする、請求項１に記載のパルス状ジェットの発生装置（１）。
【請求項３】
流体シーケンサ（２８）が、可撓な流体接続路によってつながった少なくとも１つの上流側の流体阻止バルブ（３１、３４）および下流側の流体阻止バルブ（３２）を備えていることを特徴とする、請求項１に記載のパルス状ジェットの発生装置（１）。
【請求項４】
流体シーケンサ（２８）が、下流側の流体阻止バルブであるただ１つの流体阻止バルブを備えることを特徴とする、請求項１に記載のパルス状ジェットの発生装置（１）。
【請求項５】
可撓かつ変形可能な嚢（２９）が、較正済みの体積のきわめて可撓な管であることを特徴とする、請求項１〜４のいずれか一項に記載のパルス状ジェットの発生装置（１）。
【請求項６】
高圧筐体（２）が、内壁（１０）の全体に設けられた電気絶縁層（８）を備えていることを特徴とする、請求項１または２に記載のパルス状ジェットの発生装置（１）。
【請求項７】
各々の可撓バッグの各々の出口コネクタ（２４）が、医療用液体（７）の可撓バッグ（６）の出口（２６）のうちの１つに係合するＰＶＣ針の形態の無菌ストライカ（２５）を有していることを特徴とする、請求項１に記載のパルス状ジェットの発生装置（１）。
【請求項８】
高圧筐体（２）の内部に位置する導管および管が、可撓かつ変形可能な嚢（２９）の材料よりも高い剛性を有する材料で作られていることを特徴とする、請求項１に記載のパルス状ジェットの発生装置（１）。
【請求項９】
可撓かつ変形可能な嚢（２９）が、可撓かつ変形可能な球状のふくらみまたはバルーンの形態の初期形状の弾性を有するあらかじめ形成された可撓かつ変形可能な嚢（２９）であることを特徴とする、請求項１または２に記載のパルス状ジェットの発生装置（１）。
【請求項１０】
各々の流体阻止バルブが、流体シーケンサの１つ以上の管（１９、２０）の交互する阻止および阻止の解放を可能にする機械的な要素であることを特徴とする、請求項１〜３のいずれか一項に記載のパルス状ジェットの発生装置（１）。
【請求項１１】
各々の流体阻止バルブが、全開−全閉方式の高速な流体阻止バルブ、または、ソレノイドバルブ、クランプ装置、カムモータ、もしくは、１つあるいは複数の管（１９、２０）を交互に締め付けおよび解放するアクチュエータ、または、流体シーケンサ（２８）の管のうちの１つに挿入されたチェックバルブもしくは被制御バルブであることを特徴とする、請求項１〜３のいずれか一項に記載のパルス状ジェットの発生装置（１）。
【請求項１２】
流体シーケンサ（２８）を構成する種々の手段が、プラスチック製の絶縁ハウジング（３７）に取り付けられていることを特徴とする、請求項１または２に記載のパルス状ジェットの発生装置（１）。
【請求項１３】
種々の流体阻止バルブの制御手段（３３）が、種々の流体阻止バルブ（３１、３２、３４）の開閉を順次的または連続的な方式で制御するためにユーザまたはソフトウェアによってプログラムすることができる電子カードであることを特徴とする、請求項１または２に記載のパルス状ジェットの発生装置（１）。
【請求項１４】
流体シーケンサが、少なくとも１つの阻止バルブに組み合わせられたきわめて可撓な較正済みの管から形成されていることを特徴とする、請求項１〜３のいずれか一項に記載のパルス状ジェットの発生装置（１）。
【請求項１５】
少なくとも１つの阻止バルブが、前記きわめて可撓な管を収縮させる機械的な手段であることを特徴とする、請求項１４に記載のパルス状ジェットの発生装置（１）。
【請求項１６】
少なくとも１つの阻止バルブが、下流側の阻止バルブであることを特徴とする、請求項１５に記載のパルス状ジェットの発生装置（１）。
【請求項１７】
流体阻止バルブ（複数可）（３１、３２、３４）が、可撓な管を収縮させる機械的な手段に組み合わせられていることを特徴とする、請求項１〜３のいずれか一項に記載のパルス状ジェットの発生装置（１）。
【請求項１８】
上流管（１９）および下流間（２０）が、可撓かつ変形可能な嚢（２９）よりも変形しにくいことを特徴とする、請求項１に記載のパルス状ジェットの発生装置（１）。
【請求項１９】
高圧筐体（２）が、加熱および調節手段を備えることを特徴とする、請求項１に記載のパルス状ジェットの発生装置（１）。
【手続補正書】
【提出日】平成26年5月20日(2014.5.20)
【手続補正１】
【補正対象書類名】特許請求の範囲
【補正対象項目名】全文
【補正方法】変更
【補正の内容】
【特許請求の範囲】
【請求項１】
医療装置であって、
該装置の表面は、少なくとも１つの分子分散分布された有効成分と、少なくとも１つの担体と、を含む、安定的展延可能な液剤で、全面的または部分的にコーティングされている
ことを特徴とする医療装置。
【請求項２】
請求項１に記載の医療装置であって、
前記少なくとも１つの有効成分と前記少なくとも１つの担体との比率が、前記有効成分：前記担体＝９０重量％：１０重量％から、前記有効成分：前記担体＝１０重量％：９０重量％までの範囲である
ことを特徴とする医療装置。
【請求項３】
請求項１または２に記載の医療装置であって、
前記少なくとも１つの担体は、ポリエーテル、ポリラクトン酸、ポリエチレングリコール、ポリ（Ｎ−ビニル）ピロリドン、Ｎ−ドデシルピロリドン、Ｎ−デシルピロリドン、Ｎ−オクチルピロリドン、ポリビニルアルコール、ポリビニルアルコールの誘導体、グリコール化ポリエステル、ポリホスホエステル、ポリエチレンオキシド、プロピレンオキシド、ポリエチレンオキシド、ヒアルロン酸、ＰＥＧとポリプロピレングリコールとの共重合体、脂質、リン脂質、ポリアクリル酸、ポリアクリレート、カルボキシメチルキトサン、ラノリン、バニリン、ソルビトール、ゼラチン、ゼラチンの誘導体、単一含有量５０〜９５重量％の脂肪酸部分的グリセリド、高分散酸化ケイ素、セルロース、セルロースの誘導体、ヒドロキシプロピルセルロース、エチルセルロース、澱粉、澱粉の誘導体、デキストリン、デキストラン、α−シクロデキストリン、β−シクロデキストリン、γ−シクロデキストリン、ジメチル−β−シクロデキストリン、２−ヒドロキシプロピル−β−シクロデキストリン、ステロール、コレステロール、胆汁酸、コール酸、リトコール酸、Ｎ−アルキルラクタム、Ｎ−ドデシルカプロラクタム、Ｎ−デシルカプロラクタム、Ｎ−オクチルカプロラクタム、Ｎ−ドデシルバレロラクタム、Ｎ−デシルバレロラクタム、Ｎ−オクチルバレロラクタム、ポリオキシエチレンソルビタンモノラウレート、ポリオキシエチレンソルビタンモノパルミテート、ポリオキシエチレンソルビタンモノステアレート、ソルビタンモノラウレート、ソルビタンモノパルミテート、ソルビタンモノステアレート、ポリオキシエチレンオレイルエーテル、ポリオキシエチレンオレイルエーテル、ビス−［アルファ−メチル−（４−メチル−ベンジル）］−フェニル−ポリグリコールエーテル、ビス−［アルファ−メチル−（４−ｎ−ドデシル）］−フェニル−ポリグリコールエーテル、ビス−（４−メチル−ベンジル）−フェニル−ポリグリコールエーテル、ビス−（４−ｎ−ドデシル−ベンジル）−フェニル−ポリグリコールエーテル、トリス−［アルファ−メチル−（４−メチル−ベンジル）］−フェニル−ポリグリコールエーテル、ノニルフェノールポリグリコールエーテル、およびノニルフェノールジグリコールエーテルを含むまたはからなる群から選択される
ことを特徴とする医療装置。
【請求項４】
請求項３に記載の医療装置であって、
前記少なくとも１つの担体は、デクスパンテノール、ヒアルロン酸、バニリン、カルボキシメチルキトサン、またはＰＥＧである
ことを特徴とする医療装置。
【請求項５】
請求項１〜４の何れか１項に記載の医療装置であって、
該装置の前記表面における前記安定的展延可能な液剤は、少なくとも１つのアジュバントをさらに含む
ことを特徴とする医療装置。
【請求項６】
請求項５に記載の医療装置であって、
前記アジュバントは、結晶化阻害剤、または、増粘剤、または、結晶化阻害剤及び増粘剤である
ことを特徴とする医療装置。
【請求項７】
請求項５または６に記載の医療装置であって、
前記少なくとも１つのアジュバントは、寒天、アルギン酸、チクル、ダンマル、アルシーア・エキス、ジェランガム（Ｅ４１８）、グアーガム（Ｅ４１２）、アラビアゴム（Ｅ４１４）、シャゼンソウ由来のゴム、トウヒ抽出液由来のゴム、ローカストビーンゴム（Ｅ４１０）、カラヤ（Ｅ４１６）、コンニャク粉（Ｅ４２５）、マスチック、ペクチン、タラガム（Ｅ４１７）、トラガカント（Ｅ４１３）、キサンタン（Ｅ４１５）、カラギーナン、セルロース、セルロースエーテル、ゼラチン、サゴ、および澱粉を含むまたはからなる群から選択される
ことを特徴とする医療装置。
【請求項８】
カテーテルバルーンをコーティングする方法であって、
該方法は、
ａ）ステント付きまたはステントなしの、コーティングされていないカテーテルバルーンを提供する工程と、
ｂ）少なくとも１つの溶剤中に、少なくとも１つの抗再狭窄有効成分と担体とを含む、コーティング溶液を供給する工程と、
ｃ）少なくとも１つの有効成分および前記担体を含む前記コーティング溶液を、スプレー法、ディッピング法、スプレッド法、ブラシ法、ピペット法、化学蒸着、または吹き付けによって塗布する工程と、
ｄ）前記溶剤を蒸発させるか、あるいは、高温で、または、減圧下で、または、高温及び減圧下で乾燥させる工程と、
を含む
ことを特徴とする方法。
【請求項９】
請求項８に記載の方法によって得られる、ステント付きまたはステントなしのコーティングカテーテルバルーン。
【請求項１０】
請求項１〜７の何れか１項に記載の医療装置であって、
該医療装置は、ステント付きまたはステントなしのカテーテルバルーンである
ことを特徴とする医療装置。
【請求項１１】
請求項１０に記載のカテーテルバルーンであって、
前記少なくとも１つの有効成分は、抗再狭窄有効成分であり、パクリタキセル、ドセタキセル、シロリムス、バイオリムスＡ９、ゾタロリムス、エベロリムス、ミオリムス、ノボリムス、ピメクロリムス、タクロリムス、リダホロリムス、テムシロリムス、シクロスポリン、ビタミンＫ、プロポフォール、およびジアゼパムを含むまたはからなる群から選択される
ことを特徴とするカテーテルバルーン。
【請求項１２】
請求項１１に記載のカテーテルバルーンであって、
前記少なくとも１つの抗再狭窄有効成分は、パクリタキセルである
ことを特徴とするカテーテルバルーン。
【請求項１３】
請求項１１に記載のカテーテルバルーンであって、
前記少なくとも１つの抗再狭窄有効成分は、シロリムスである
ことを特徴とするカテーテルバルーン。
【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
それぞれが乾燥粉末形態の薬剤を含み、等間隔に離間された複数のブリスターポケット（１５ａ）で構成されるブリスター包装体（１５）からの乾燥粉末形態の薬剤の送達に適した吸入器（１）であって、
使用時に開封されたブリスターポケット（１５ａ）からの乾燥粉末形態の薬剤を患者が吸入することを可能にさせるマウスピース（１４）と、
使用時にブリスター包装体（１５）の割り出しを可能にさせ、乾燥粉末形態の薬剤の吸入の準備を整わせる歯車機構と、
マウスピース（１４）を覆い、前記歯車機構を起動する回転式マウスピースカバー（２）と、
上部ハウジング部材（４ａ）と下部ハウジング部材（４ｂ）との間に位置し、内部に前記ブリスター包装体及び前記歯車機構が収容されるハウジング（１０）と、
を含む吸入器であって、
前記吸入器は、上部及び下部ハウジング部材（４ａ，４ｂ）に接続される安定化弾性カバー（３２，３３）を含み、マウスピース（１４）がマウスピースカバー（２）によって完全に覆われているときは、マウスピースカバー（２）と前記歯車機構との連通を可能にする接続ポイント（２９，３０）の安定化弾性カバー（３２，３３）の下の爪（３２ａ，３３ａ）が前記マウスピースカバー（２）とかみ合って、マウスピースカバー（２）の動作が妨げられることを特徴とする、吸入器（１）。
【請求項２】
前記デバイスの両側の各安定化弾性カバー（３２；３３）の下の爪（３２ａ；３３ａ）がマウスピースカバー（２）とかみ合って、マウスピースカバー（２）の回転が両側で防止される、請求項１に記載の吸入器（１）。
【請求項３】
安定化弾性カバー（３２ｄ；３３ｄ）の弾性部分が押下されると、各安定化弾性カバー（３２；３３）の下の爪（３２ａ；３３ａ）が上昇し、マウスピースカバー（２）が解放されて、前記歯車機構を起動する、請求項１又は２に記載の吸入器（１）。
【請求項４】
各安定化弾性カバー（３２；３３）は、前記マウスピースカバーの接続ポイント（３０；２９）上にある、請求項１〜３のいずれか１項に記載の吸入器（１）。
【請求項５】
安定化弾性カバー（３２，３３）の下の延長部（３２ｂ，３２ｃ；３３ｂ，３３ｃ）は、前記上部又は下部ハウジング部材上の開口（２４ｃ，２４ｄ；２３ｃ，２３ｄ）を接続ポイント（３０；２９）の位置に沿って通過し、それが接続する安定化弾性カバー（３２；３３）を安定な状態で維持する、請求項１〜４のいずれか１項に記載の吸入器（１）。
【請求項６】
ハウジング（１０）は、使用時にブリスター包装体（１５）を剥離することを可能にするビーク（１６）を含む、請求項１に記載の吸入器（１）。
【請求項７】
前記上部及び下部ハウジング部材上の突起（２３ａ，２３ｂ；２４ａ，２４ｂ）によって、制限された経路が提供される、請求項１に記載の吸入器（１）。
【請求項８】
マウスピースカバー（２）は、上部ハウジング部材（４ａ）及び下部ハウジング部材（４ｂ）上で摺動することによって回転運動する、請求項１に記載の吸入器（１）。
【請求項９】
マウスピースカバー（２）は、
マウスピースカバー（２）が前記回転経路の一方端の突起（２３ａ，２４ａ）上に寄りかかっており、マウスピース（１４）が完全に覆われ、デバイス（１）がスタンバイモードである位置、及び
マウスピースカバー（２）が前記回転経路の他方端の突起（２３ａ，２４ａ）に寄りかかっており、デバイス（１）が作動されると、使用時に前記乾燥粉末形態の薬剤の１回分投与量の吸引準備が整う位置、
の２つの位置のいずれかの位置にある、請求項１〜８のいずれか１項に記載の吸入器（１）。
【請求項１０】
マウスピースカバー（２）が容易に回転できるように、マウスピースカバー（２）の一方端に湾曲部分（２ａ）がある、請求項１に記載の吸入器（１）。
【請求項１１】
前記歯車機構の全構成要素は、直接又は間接的に相互に係合している、請求項１に記載の吸入器（１）。
【請求項１２】
前記歯車機構は、
マウスピースカバー（２）の一定角度の動作を割り出しラチェットホイール（３）へ伝達することによってデバイス（１）を作動する駆動歯車（１２）と、
割り出しラチェットホイール（３）と同期し、ブリスター包装体（１５）を使用時に割り出しを可能にする割り出しホイール（８）と、
使用時に割り出しホイール（８）が回転すると、機構ホイール（５）を介して巻取りホイール（１３）を動かす巻取りホイール歯車（６）と、
割り出しホイール（８）の動作をカウンタホイール（９）へ伝達するピニオン歯車（１１）及びベース歯車（７）と、
使用時に、デバイス（１）に残る未使用のブリスターポケット（１５ａ）の数を表示するカウンタ歯車（９）と
で構成される、請求項１又は１１に記載の吸入器（１）。
【請求項１３】
それぞれが乾燥粉末形態の薬剤を含み、等間隔に離間された複数のブリスターポケット（１５ａ）で構成されるブリスター包装体（１５）をさらに含む、請求項１〜１２のいずれか１項に記載の吸入器（１）。
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
少なくとも１つの嗅覚活性組成物、吸収マトリクス材料を含む少なくとも１つの構造構成要素、および前記構造構成要素の少なくとも一部分を被覆するコーティング組成物もしくは添加剤、を含む香り付き物品であって、少なくとも１つの嗅覚活性組成物が、前記吸収マトリクス材料中に放出可能に保持される香り付き物品。
【請求項２】
前記吸収マトリクス材料は、パルプ組成物から形成される、請求項１に記載の物品。
【請求項３】
前記吸収マトリクス材料は、多層紙ロッドを形成するように、中心軸に巻かれる多孔性の一枚の巻紙である請求項１に記載の物品。
【請求項４】
前記巻紙は、中空かつ両端が開いている、前記中心軸がその中を通るチャンバを形成する請求項３に記載の物品。
【請求項５】
前記ロッドの中心軸に沿って形成される前記チャンバは、ゲルまたは液体で充填される請求項４に記載の物品。
【請求項６】
前記吸収マトリクス材料には、前記構造構成要素の総容積の１．０％〜９９％の空隙容積がある請求項１〜５のいずれか１項に記載の物品。
【請求項７】
前記ゲルまたは液体は、前記少なくとも１つの嗅覚活性組成物を含む請求項５又は６に記載の物品。
【請求項８】
前記コーティング組成物もしくは添加剤は、前記構造構成要素の５０％超を被覆する請求項１〜７のいずれかに記載の物品。
【請求項９】
前記コーティング組成物もしくは添加剤は、前記構造構成要素の略全てを被覆する請求項１〜７のいずれかに記載の物品。
【請求項１０】
前記コーティング組成物もしくは添加剤は、ワックス、アクリレート類、及び可塑化剤を含む請求項１〜９のいずれかに記載の物品。
【請求項１１】
香り付き物品を作製する方法であって、
ａ）少なくとも１つの液体嗅覚活性組成物、および吸収マトリクス材料を含む少なくとも１つの構造構成要素を、密封容器に加え、及び、下記ステップｂ）及びｃ）から選ばれる少なくとも１のステップを含む、方法。
ｂ）前記密封容器を真空にし、前記真空を解除する前に、前記真空を一定期間維持し、
ｃ）前記密封容器を加圧し、前記圧力を解除する前に、前記圧力を一定期間維持する。
【請求項１２】
ステップｂ）およびｃ）を順不同で含む、請求項１１に記載の方法。
【請求項１３】
真空が、０．００１ｍｍＨｇ〜７００ｍｍＨｇの真空である、請求項１１又は１２に記載の方法。
【請求項１４】
前記密封容器の加圧において、圧力が１０ｐｓｉ〜４０ｐｓｉの圧力である請求項１１〜１３のいずれかに記載の方法。
【請求項１５】
前記真空または前記圧力の前記期間は１分〜１０時間である請求項１１〜１４のいずれかに記載の方法。
【請求項１６】
前記嗅覚活性組成物は、芳香剤、忌避剤、消臭化合物、アロマセラピー化合物、天然油、水性付香剤、香り中和化合物、及びシクロデキストリンのうちの少なくとも１つを含む請求項１１〜１５のいずれかに記載の方法。
【請求項１７】
前記吸収マトリクス材料には、前記構造構成要素の総容積の１．０％〜９９％の空隙容積があり、該空隙容積を満たすのに十分な量の嗅覚活性組成物を加える、請求項１１〜１６のいずれかに記載の方法。
【請求項１８】
ｄ）前記密封容器から前記少なくとも１つのマトリクス材料、または少なくとも１つの構造構成要素を除去することをさらに含む請求項１１〜１７のいずれかに記載の方法。
【請求項１９】
前記構造構成要素は、多層紙ロッドを形成するように、中心軸に巻かれる吸収紙のシートを含む請求項１１〜１８のいずれかに記載の方法。
【請求項２０】
２〜２００ｍＬの前記嗅覚活性組成物が加えられる請求項１１〜１９のいずれかに記載の方法。
【請求項２１】
前記マトリクス材料が、パルプ組成物の成形品である、請求項２〜１０のいずれかに記載の物品。
【請求項２２】
前記パルプ組成物は、ナノ繊維をさらに含む請求項２１に記載の物品。
【請求項２３】
前記パルプ組成物の成形品が、パルプ組成物の押出成形品である、請求項２１又は２２に記載の物品。
【手続補正書】
【提出日】平成26年2月12日(2014.2.12)
【手続補正１】
【補正対象書類名】特許請求の範囲
【補正対象項目名】全文
【補正方法】変更
【補正の内容】
【特許請求の範囲】
【請求項１】
診断目的用の体液を採取するシステムであって、
採取装置（１）と、ランセット本体およびランセット先端を有し、前記採取装置（１）に適応される少なくとも１つのランセット（９１）と、
前記ランセット先端用の出口開口部を備えたハウジング（１０）と、
前記ハウジング（１０）内の所定の穿刺通路に沿って移動可能であり、取り替え可能に前記ランセット（９１）を保持するランセットホルダ（２０）と、
穿刺動作をトリガーした後に、前記所定の穿刺通路上で前記ランセットホルダ（２０）をガイドするランセットガイド（９２）と、
前記採取装置（１）に適応される複数のランセット（９１）を含むマガジン（９０）であって、前記ランセット（９１）が、ランセット本体およびランセット先端を備え、前記ランセットホルダ（２０）に連続的に連結可能であり、設けられた前記ランセット（９１）がそれぞれ、穿刺前にまだ未使用のランセットの無菌状態を確保する無菌保護（９４）を備え、該無菌保護（９４）が、エラストマー材料から構成され、穿刺の間に、保護されるランセット先端により突き通されるか、剥ぎ取られるマガジン（９０）と、
テンションをかけることにより、テンションがかけられていない状態からテンションがかけられた状態に変換される弾性駆動エレメント（３１）を備えたランセット駆動部（３０）であって、前記弾性駆動エレメント（３１）により、トリガー後、テンションがかけられた前記弾性駆動エレメント（３１）の弛緩動作が穿刺動作に変換され、その過程で前記ランセット先端が前記出口開口部から少なくとも部分的に突出するまで、前記ランセットホルダ（２０）により保持されたランセット（９１）が、所定の穿刺通路に沿って穿刺方向に移動し、前記弾性駆動エレメント（３１）により、前記ランセットホルダ（２０）が、前記ランセット（９１）の先端が前記ハウジング（１０）内に位置付けられる位置まで戻るランセット駆動部（３０）と、
初期状態および作動状態を有し、前記ハウジング（１０）の外側からアクセス可能な作動エレメント（４０）を有する、テンションおよびトリガー複合装置とを備え、
該テンションおよびトリガー複合装置は、
前記作動エレメント（４０）が作動通路に沿って移動したとき、前記ランセット駆動部（３０）は最初にテンションをかけられ、その後解放され、前記作動通路に沿った所定の位置に到達したときに前記ランセット駆動部（３０）の解放が可能となるように、前記作動エレメント（４０）および前記ランセット駆動部（３０）に機械的に連結されたロック装置（７０）を有しているシステム。
【請求項２】
前記ロック装置（７０）が、制御トラック部および制御カム（７１）を部品として備えたトラック制御部として設計され、前記制御カム（７１）が、前記作動通路に沿った前記作動エレメント（４０）の移動の少なくとも一部の間、前記制御トラック部に対して相対的に移動し、前記制御トラック部の制御トラックの少なくとも一部に沿って移動することを特徴とする請求項１記載のシステム。
【請求項３】
前記ランセット駆動部（３０）が、回転可能な駆動ロータ（５０）を備えた回転／スライド伝動機構を有し、該回転／スライド伝動機構により、前記回転／スライド伝動機構の入力側にもたらされたターニングモーメントが、所定の穿刺通路の方向に沿った長手方向の変位に変換され、前記駆動ロータ（５０）が前記弾性駆動エレメント（３１）に連結され、前記回転／スライド伝動機構の出力側における長手方向の変位が、ランセットホルダ（２０）に伝えられる請求項１記載のシステム。
【請求項４】
前記ランセット駆動部（３０）が、回転可能な駆動ロータ（５０）を備えた回転／スライド伝動機構を有し、該回転／スライド伝動機構により、前記回転／スライド伝動機構の入力側にもたらされたターニングモーメントが、所定の穿刺通路の方向に沿った長手方向の変位に変換され、前記駆動ロータ（５０）が前記弾性駆動エレメント（３１）に連結され、前記回転／スライド伝動機構の出力側における長手方向の変位が、ランセットホルダ（２０）に伝えられる請求項２記載のシステム。
【請求項５】
前記トラック制御部の前記制御トラック部が、少なくとも部分的に前記駆動ロータ（５０）に設けられる請求項４記載のシステム。
【請求項６】
前記制御トラック部が、第１セクション（７２）および第２セクション（７３）を備え、前記制御トラック部の第１セクション（７２）が、前記回転／スライド伝動機構の回転軸に略平行に走行し、前記制御トラック部の第２セクション（７３）が、前記回転／スライド伝動機構の回転軸に略垂直に走行することを特徴とする請求項４または５記載のシステム。
【請求項７】
前記回転／スライド伝動機構が、前記駆動ロータ（５０）とともに回転可能な、ガイドカーブ（６１）を形成する凹部を備えたカムコントロール（６０）を有し、前記凹部内には、適合するガイドピン（６２）が係合し、前記ガイドピン（６２）が、前記凹部により形成されたガイドカーブを通って移動するときにガイドピン（６２）がなす前記ガイドピン（６２）と前記凹部との間の相対的な移動により、穿刺動作および帰還動作の少なくとも一部が決定されることを特徴とする請求項３〜６のいずれか１項に記載のシステム。
【請求項８】
前記回転／スライド伝動機構の入力側が、回転可能な伝動部材上に設けられた螺旋部と、前記作動通路に沿って移動可能な作動エレメント（４０）に接続され、接触表面により前記螺旋部のスライド面上をスライド可能なテンションカム（８１）とにより形成されていることを特徴とする請求項３〜７のいずれか１項に記載のシステム。
【請求項９】
前記ランセット駆動部の前記弾性駆動エレメントが、前記作動エレメントの連続的な一方向の変位により、最初にテンションがかけられていない状態からテンションがかけられた状態に変換され、続いてトリガーされることを特徴とする請求項１〜８のいずれか１項に記載のシステム。
【請求項１０】
前記作動エレメント（４０）が、前記ランセット先端用の前記出口開口部から離れたハウジング（１０）の後端部から突出した操作ボタンであることを特徴とする請求項１〜９のいずれか１項に記載のシステム。
【請求項１１】
前記マガジン（９０）が、前記ランセットガイド（９２）の一部を含む請求項１〜１０のいずれか１項に記載のシステム。
【請求項１２】
前記ランセット（９１）が、全穿刺工程の間、前記ランセット駆動部（３０）に機械的に連結されることを特徴とする請求項１〜１１のいずれか１項に記載のシステム。
【請求項１３】
前記システムが、穿刺動作のトリガーが差し迫っていることを示す手段を備えることを特徴とする請求項１〜１２のいずれか１項に記載のシステム。
【請求項１４】
前記穿刺動作のトリガーが差し迫っていることを示す手段が、前記作動エレメントの一部であることを特徴とする請求項１３記載のシステム。
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
遠位端を有する細長部材と、
前記細長部材の前記遠位端に結合された先端部であって、前記細長部材の一方側の先端点を含むベベル部分を備える先端部と、
少なくとも部分的には前記細長部材内の第１の位置と、少なくとも部分的には前記細長部材の外側である第２の位置であって、前記細長部材の前記一方側の第２の位置との間で移動可能である複数のフィラメントであって、前記複数のフィラメントおよび前記先端部はプローブから高周波エネルギーを伝達し単極電極として動作するように構成される、複数のフィラメントと、
を備えることを特徴とする、ニードル。
【請求項２】
前記ベベル部分は、約２０°から約３０°までの範囲内のベベル角度を有することを特徴とする、請求項１に記載のニードル。
【請求項３】
前記複数のフィラメントのそれぞれは、前記先端部から見て外を向くベベルを備える遠位端を有することを特徴とする、請求項１または２に記載のニードル。
【請求項４】
前記複数のフィラメントの前記ベベルは、約２５°から約３５°までの範囲内の角度であることを特徴とする、請求項３に記載のニードル。
【請求項５】
単一のワイヤが、前記複数のフィラメントを含むことを特徴とする、請求項１〜４のいずれか一項に記載のニードル。
【請求項６】
少なくとも部分的に前記先端点を覆う絶縁コーティングをさらに含むことを特徴とする、請求項１〜５のいずれか一項に記載のニードル。
【請求項７】
前記先端部は、少なくとも部分的に前記細長部材内にステムを含み、前記ステムは第１のフィラメントルーメンと第２のフィラメントルーメンとを含むことを特徴とする、請求項１〜６のいずれか一項に記載のニードル。
【請求項８】
前記ステムは、第３のルーメンを備え、前記ベベル部分は、前記第３のルーメンと連通する流体ポートを備えることを特徴とする、請求項７に記載のニードル。
【請求項９】
前記細長部材は、近位端を有し、前記ニードルは、前記細長部材の前記近位端に結合された回転展開機構をさらに含み、前記回転展開機構は前記先端部に関して前記複数のフィラメントの部分的展開を示す印を含むことを特徴とする、請求項１〜８のいずれか一項に記載のニードル。
【請求項１０】
前記印は、聴覚的および触覚的戻り止めのうちの少なくとも１つを備えることを特徴とする、請求項９に記載のニードル。
【請求項１１】
前記細長部材は、近位端を有し、前記ニードルは、前記細長部材の前記近位端に結合されたフィラメント展開機構をさらに含み、前記フィラメント展開機構は、
前記複数のフィラメントに結合されたステムを備える前進ハブと、
螺旋状のトラックを備えるスピンカラーであって、前記前進ハブの前記ステムが少なくとも部分的に前記スピンカラーの内側にある、スピンカラーと、
前記螺旋状のトラックと連携するように構成された螺旋状のねじ山を備えるステムを含むメインハブであって、前記メインハブの前記ステムが少なくとも部分的に前記スピンカラーの内側にあり、前記前進ハブの前記ステムが少なくとも部分的に前記メインハブの内側にある、メインハブとを備え、
前記フィラメントは、前記スピンカラーの回転後に、前記第１の位置と前記第２の位置との間で移動するように構成されることを特徴とする、請求項１〜８のいずれか一項に記載のニードル。
【請求項１２】
単一のワイヤが、前記複数のフィラメントを含み、前記ワイヤの近位端は、前記前進ハブの前記ステムに結合されることを特徴とする、請求項１１に記載のニードル。
【請求項１３】
前記螺旋状のトラックおよび前記螺旋状のねじ山のうちの少なくとも一方は、前記複数のフィラメントの部分的展開または引き込みを示すように構成された複数の戻り止めを備えることを特徴とする、請求項１１または１２に記載のニードル。
【請求項１４】
前記第１の位置は、完全に引っ込められた位置であり、前記第２の位置は、完全に展開された位置であり、前記戻り止めは、前記フィラメントが前記第１の位置と前記第２の位置との間の第３の位置、前記第３の位置と前記第２の位置との間の第４の位置、および前記第４の位置と前記第２の位置との間の第５の位置にあるときに、使用者に聴覚的または触覚的フィードバックを送るように構成されていることを特徴とする、請求項１３に記載のニードル。
【請求項１５】
前記複数のフィラメントは、前記第３の位置の前記先端点の近位にあり、前記複数のフィラメントは、前記第４の位置の前記先端点に実質的に縦方向に揃えられ、前記複数のフィラメントは、前記第５の位置の前記先端点の遠位にあることを特徴とする、請求項１４に記載のニードル。